(57)【要約】【課題】薄板製の支持パネルやドアパネルに対しても簡単に組み付けることができ、しかも見栄えの良好なドア開閉用グレビティヒンジを提供する。【解決手段】サポートヒンジＨ２を、ドアパネルＤの下端面１７に取り付ける上側のドア取付手段２０と、ドアパネルを支持する下側のアジャスト手段３０とで構成する。ドア取付手段は、傾斜カム面が下向きの上部カム２５を筒状カムケース１９内に嵌入して固着する。アジャスト手段は、支持プレート３１上のアジャストボルト３２に筒状アジャストケース３３を、螺合高さ位置を調整可能に嵌着し、アジャストケース上に垂設した固定軸３４の基端軸部３４ａを傾斜カム面が上向きの下部カム３５に回転規制状態で嵌着し、支持プレートをドアパネルの真下で床面Ｆ上に載置する一方、固定軸の先端軸部３４ｃを上部カムに嵌挿した状態でドア取付手段を直列に連結する。【選択図】        図１
2004239010.tif 000002
【特許請求の範囲】
【請求項１】
ドアパネルの開閉を案内するガイドヒンジと、上下一対の円筒状カムが向き合う側に有する互いの傾斜カム面をドアパネルの自重で重ね合わせることにより自開又は自閉可能にドアパネルを支持するサポートヒンジと、からなるドア開閉用グレビティヒンジにおいて、
前記サポートヒンジは、
前記ドアパネルの下端面に取り付け、傾斜カム面が下向きの前記上部カムを筒状カムケース内に嵌入して固着してなるドア取付手段と、
支持プレートと、支持プレート上に立設し外周に雄ねじ部を有するアジャストボルトと、その雄ねじ部に内周に有する雌ねじ部を螺合させてアジャストボルトに対し螺合高さ位置を調整可能に嵌着した筒状アジャストケースと、傾斜カム面が上向きの前記下部カムに回転規制状態で基端軸部を嵌着させて前記アジャストケース上に垂設した固定軸とを備え、前記ドアパネルの真下で床面上に支持プレートを載置する一方、固定軸の先端軸部を前記上部カムに嵌挿した状態で前記ドア取付手段を載せて直列に連結するアジャスト手段と、
からなることを特徴とする、ドア開閉用グレビティヒンジ。
【請求項２】
前記アジャスト手段は、前記支持プレートに、前記床面に有する水勾配に応じて底面を所望傾斜角度の傾斜面で形成した水勾配ライナーを、着脱自在に取り付けてなることを特徴とする、請求項１に記載のドア開閉用グレビティヒンジ。
【発明の詳細な説明】
【０００１】
【発明の属する技術分野】本発明は、各種のドア開閉用ヒンジの中でも、一方にガイドヒンジを備えてドアパネルの開閉を案内すると共に、他方にサポートヒンジを備えてドアパネルを支持し、特にドアパネルの自重を利用して自開又は自閉可能にドアパネルをドア用支持パネルに組み付けるドア開閉用グレビティヒンジに関する。
【０００２】
【従来の技術】一般に、ラバトリーブースなどでは、トイレ用のドアパネルを支持パネルに開閉可能に組み付ける場合、この種のグレビティヒンジを用いたものが多く見られる。
【０００３】
従来、グレビティヒンジを用いてドアパネルを支持パネルに取り付ける場合は、たとえば図９に示すように、床面ｆからの高さ位置調整機能を有する支持金具１で水平度を予め調整してから、その支持金具１で支持パネルｐを支えて笠木ｒに固定している。それから、水平な固定状態にある支持パネルｐに対し、ドアパネルｄの上部側を、ガイドヒンジｈ１を用いて回動可能に取り付けると共に、ドアパネルｄの下部側を、サポートヒンジｈ２を用いて回動可能に取り付けて支持する構造になっている。
【０００４】
上方のガイドヒンジｈ１は、支持パネルｐの木口面上側に固定した取付プレート２ａにドアパネルｄ側に固定した枢着具２ｂを、ガイド軸３を支点として回動可能に連結している。下方のサポートヒンジｈ２は、支持パネルｐの木口面下側に固定した支持アーム４ａに、ドアパネルｄ側に固定した枢着具４ｂを、固定軸５を支点として回動可能に連結している。特に、サポートヒンジｈ２は、固定軸５を、図示省略したが、上下一対の円筒状カムに貫挿し、ドアパネルｄの開閉時に、円筒状カムが向き合う側に有する互いの傾斜カム面をドアパネルｄの自重で支持パネルｐを重ね合わせることにより、ドアパネルｄを自開又は自閉可能に支持する構造になっている。
【０００５】
しかし、最近、支持パネルｐやドアパネルｄとして比較的薄板製のものが好んで使用される中で、上述した木口面取付型のグレビティヒンジは、支持パネルｐやドアパネルｄの薄さによっては、幅狭な木口面にガイドヒンジｈ１やサポートヒンジｈ２をねし止めすることが難しく、取り付けに手間がかかって非常に面倒であった。
【０００６】
そこで、従来、薄板製の支持パネルやドアパネルに対しても比較的簡単に取り付けることができる点に着目し、次のような旗蝶番型のグレビティヒンジが使用されている。
【０００７】
旗蝶番型のグレビティヒンジは、図１０に示すように、左右に一対の取付板６ａ・６ｂを備え、これら取付板の対向する側縁に上下一対の軸筒７ａ・７ｂを直列に並設し、これら軸筒内に、固定軸を嵌挿した上下一対の円筒状カム８・９を内設している。そして、片側の取付板６ａを支持パネルｐの板面にねじ止めする一方、他側の取付板６ｂをドアパネルｄの板面にねじ止めし、ドアパネルｄの開閉時は、円筒状カム８・９が向き合う側に有する互いの傾斜カム面８ａ・９ａをドアパネルｄの自重で重ね合わせることにより、ドアパネルｄを自開又は自閉可能に支持する構造になっている。
【０００８】
【発明が解決しようとする課題】ところが、従来の旗蝶番型グレビティヒンジは、取付板６ａ・６ｂを支持パネルｐとドアパネルｄに多数の止めネジを使って面付けするため、それら止めネジや取付板６ａ・６ｂが露出し、特に美観性を要求されるラバトリーブースなどでは、とりわけ見栄えが悪いという課題があった。
【０００９】
そこで、本発明は、上述のような従来の課題を解決し、薄板製の支持パネルやドアパネルに対しても簡単に組み付けることができ、しかも見栄えの良好なドア開閉用グレビティヒンジを提供することにある。
【００１０】
【課題を解決するための手段】請求項１に記載の発明は、上記課題を解決するために、たとえば以下に示す図示実施の形態のとおり、ドアパネルＤの開閉を案内するガイドヒンジＨ１と、上下一対の円筒状カム２５・３５が向き合う側に有する互いの傾斜カム面ｊ・ｋ・ｍ・ｎ、ｖ・ｗ・ｘ・ｙをドアパネルＤの自重で重ね合わせることにより自開又は自閉可能にドアパネルＤを支持するサポートヒンジＨ２と、からなるドア開閉用グレビティヒンジＨにおいて、前記サポートヒンジＨ２は、前記ドアパネルＤの下端面１７に取り付け、傾斜カム面ｊ・ｋ・ｍ・ｎが下向きの前記上部カム２５を筒状カムケース１９内に嵌入して固着してなるドア取付手段２０と、支持プレート３１と、支持プレート３１上に立設し外周に雄ねじ部３２ｂを有するアジャストボルト３２と、その雄ねじ部３２ｂに内周に有する雌ねじ部３３ｂを螺合させてアジャストボルト３２に対し螺合高さ位置を調整可能に嵌着した筒状アジャストケース３３と、傾斜カム面ｖ・ｗ・ｘ・ｙが上向きの前記下部カム３５に回転規制状態で基端軸部３４ａを嵌着させて前記アジャストケース３３上に垂設した固定軸３４とを備え、前記ドアパネルＤの真下で床面Ｆ上に支持プレート３１を載置する一方、固定軸３４の先端軸部３４ｃを前記上部カム２５に嵌挿した状態で前記ドア取付手段２０を載せて直列に連結するアジャスト手段３０とからなることを特徴とする。
【００１１】
請求項２に記載の発明は、たとえば以下に示す図示実施の形態のとおり、請求項１に記載のドア開閉用グレビティヒンジＨにおいて、前記アジャスト手段３０は、前記支持プレート３１に、前記床面Ｆに有する水勾配ｔに応じて底面４０ａを所望傾斜角度の傾斜面で形成した水勾配ライナー４０を、着脱自在に取り付けてなることを特徴とする。
【００１２】
【発明の実施の形態】以下、図面を参照しつつ、本発明の実施の形態について説明する。
【００１３】
図６に、本発明によるドア開閉用グレビティヒンジを用いてドアパネルを支持パネルに対し組み付けたパネル構造体を示す。パネル構造体１０は、たとえばラバトリーブースのトイレ用パネル構造体で、複数の支持パネルＰを面一に配設して上方の笠木Ｒにより一体に連結し、片側の支持パネルＰに対し、本発明によるグレビティヒンジＨでドアパネルＤを組み付ける構造になっている。
【００１４】
さて、パネル構造体１０において、支持パネルＰおよびドアパネルＤは、共に厚さ２０ｍｍ程度の薄板製で、そのうち支持パネルＰは、床面Ｆからの高さ位置調整機能を有する周知の支持金具１１で水平度を予め調整してから、その支持金具１１で支えて笠木Ｒに取り付けている。そして、水平な固定状態にある片側の支持パネルＰに対しドアパネルＤを、グレビティヒンジＨを使って回動可能に組み付ける。グレビティヒンジＨは、ドアパネルＤの開閉を案内する上方のガイドヒンジＨ１と、ドアパネルＤを開閉可能に支持する下方のサポートヒンジＨ２とからなる。
【００１５】
ガイドヒンジＨ１は、図５に示すように、笠木Ｒに取り付ける金属製の取付プレート１３と、ドアパネルＤの上端面１２に取り付ける樹脂製の取付プレート１４とを備える。取付プレート１３・１４は、共に支持パネルＰおよびドアパネルＤの厚さに合わせた幅寸法の細長に形成するが、笠木側の取付プレート１３は、その先端寄りにガイド軸１５を、その基端をかしめて固定的に立設している。ドアパネル側の取付プレート１４は、ガイド軸１５を軸線周りに回動可能に貫挿する筒穴部１４ａを設けてなる。
【００１６】
一方、サポートヒンジＨ２は、図１〜図３に示すように、ドアパネルＤの下端面１７に固着する上側のドア取付手段２０と、ドア取付手段２０と連結してドアパネルＤを支持する下側のアジャスト手段３０とで構成してなる。
【００１７】
ドア取付手段２０は、図２に示すように、取付プレート１８と、筒状のカムケース１９と、上部カム２５とを備える。取付プレート１８は、ドアパネルＤの厚さに合わせた幅サイズで細長な金属板で形成するが、一端側に止めねじ挿通用の取付穴２２を設け、他端寄りに一部を拡径にして円形のカム取付板部１８ａを形成してなる。カム取付板部１８ａには、中心に嵌め込み穴２３を設け、その嵌め込み穴２３を間に挟んで両側に一対の係合小穴２４を設ける一方、係合小穴２４間と直交する両側に円弧状の差し込み穴２６を設けている。カムケース１９は、上部カム２５の外形状に合わせて両端を開放した金属製の円筒材からなり、図中上端縁の対称位置に、差し込み穴２６と対応する円弧状の係合凸部１９ａを突設している。
【００１８】
上部カム２５は、樹脂材料により一体成形し、図２（ｂ）に示すように、中心に嵌合丸穴２７を形成した内筒部２５ａを設けると共に、内筒部２５ａの外周に外筒部２５ｂを設けてなる。内筒部２５ａには、下端縁〔（図２（ｂ）では上側〕に傾斜カム面ｊ・ｋを半周ずつ左右に分割して設け、外筒部２５ｂにも、下端縁に傾斜カム面ｍ・ｎを半周ずつ左右に分割して設けている。この上部カム２５では、内筒部２５ａの傾斜カム面ｊ・ｋと、外筒部２５ｂの傾斜カム面ｍ・ｎとの設置位相を１８０度ずらして逆向きに形成している。さらに、上部カム２５は、図２（ａ）において上端面中央に、取付プレート１８の嵌め込み穴２３の開口形状に合わせて凸状部２５ｃを設け、凸状部２５ｃの両側に一対の小突起２５ｄを突設している。
【００１９】
そこで、ドア取付手段２０は、取付プレート１８に対しカムケース１９を、差し込み穴２６に係合凸部１９ａを差し込んで、かしめることにより固着する。そして、傾斜カム面ｊ・ｋ・ｍ・ｎを下向きにして上部カム２５をカムケース１９内に嵌入し、凸状部２５ｃを嵌め込み穴２３に嵌め込んで、小突起２５ｄを係合小穴２４に圧入することにより、上部カム２５を取付プレート１８に固着して組み立ててなる。
【００２０】
他方、アジャスト手段３０は、金属製の支持プレート３１と、取付高さ位置調整用の金属製アジャストボルト３２およびアジャストケース３３と、アジャストケース３３上に立設する金属製の固定軸３４と、固定軸３４を嵌挿する樹脂製の下部カム３５とを備える。
【００２１】
支持プレート３１は、円盤状で、中心に取付穴３１ａを設ける一方、図１でも示すように下端周縁を屈曲させて、そこに水勾配ライナー４０を取り付ける環状の係合リブ３１ｂを設けてなる。
【００２２】
水勾配ライナー４０は、樹脂材料により支持プレート３１の外形状に合わせてリング状に成形し、図４に示すように、底面４０ａを、床面Ｆに有する水勾配ｔの傾斜角度に応じて適宜傾斜させた傾斜面で形成し、底面４０ａに所望角度の勾配を設けてなる。しかも、外周には、図において漸次下向きに傾斜する片側に、この下向き傾斜方向を示す目印として突片４０ｂが設けられている。一方、内周縁には、それに沿って環状の係合凸部４０ｃを設け、その係合凸部４０ｃを、図１に示すように、係合リブ３１ｂの内側に弾性的に嵌め付けて支持プレート３１に対し着脱自在に取り付けられるようになっている。そこで、本発明のグレビティヒンジＨでは、図４中矢印Ａで示す排水方向へ傾斜する水勾配ｔが床面Ｆに設けられている場合、支持プレート３１に水勾配ライナー４０を装着してサポートヒンジＨ１を使用する。
【００２３】
アジャストボルト３２は、図２中下端面の中心に取付軸部３２ａを突設し、上部外周に拡径な雄ねじ部３２ｂを設けてなる。他方、アジャストケース３３は、図中下端を開放した円筒状をなし、上端面の中心に軸取付穴３３ａを設け、内周面に、図１に示すとおりアジャストボルト３２の雄ねじ部３２ｂが螺合可能な雌ねじ部３３ｂを形成してなる。さらに外周部には、図２に示すように小穴３３ｃを穿設し、回動操作用の六角レンチを嵌め込むための六角穴付き止めナット３９を小穴３３ｃに圧入する。固定軸３４は、基端軸部３４ａ寄りの外周に、断面八角形の角柱状をなすカム位置決め部３４ｂを設け、先端軸部３４ｃに丸みを付けて形成してなる。
【００２４】
下部カム３５は、略円筒状に一体成形してなり、中心に、固定軸３４のカム位置決め部３４ｂの外形状に合わせて八角形の嵌合穴４１を有する内筒部３５ａを設け、内筒部３５ａの外周に外筒部３５ｂを設けてなる。内筒部３５ａには、上端縁に傾斜カム面ｖ・ｗを半周ずつ左右に分割して設け、外筒部３５ｂにも、上端縁に傾斜カム面ｘ・ｙを半周ずつ左右に分割して設けている。内筒部３５ａの傾斜カム面ｖ・ｗと、外筒部３５ｂの傾斜カム面ｘ・ｙとは、その設置位相を１８０度ずらした逆向きに形成している。
【００２５】
そこで、アジャスト手段３０は、支持プレート３１の取付穴３１ａに取付軸部３２ａを圧入し、支持プレート３１上にアジャストボルト３２を固定的に立設する。一方、アジャストケース３３には、その軸取付穴３３ａに基端軸部３４ａを圧入し、アジャストケース３３上に固定軸３４を固定的に垂設する。そして、アジャストボルト３２の雄ねじ部３２ｂに雌ねじ部３３ｂを螺合させながら、アジャストボルト３２にアジャストケース３３を嵌着する。次いで、アジャスト手段３０は、傾斜カム面ｖ・ｗ・ｘ・ｙを上向きにした下部カム３５に固定軸３４を嵌挿し、同じ八角の嵌合穴４１にカム位置決め部３５ａを嵌着することにより、下部カム３５を軸心周りの回動規制状態でセットして組み立ててなる。
【００２６】
さて、支持パネルＰに対しドアパネルＤを組み付けるために、上述した構成のグレビティヒンジＨを使用するとき、ガイドヒンジＨ１は、図５に示すように、取付プレート１３を、ガイド軸１５の先端を下向きにして笠木Ｒの底板部１６上に止めネジ２７で固着する。一方、取付プレート１４は、筒穴部１４ａを、予め筒穴部１４ａに合わせてドアパネルＤの上端面１２に穿設したヒンジ取付穴２８に嵌め込んで、止めネジ２９で上端面１２上に固着する。なお、ヒンジ取付穴２８には、その底側にガイド軸１５に合わせて一段細い穴径の軸穴部２８ａを設けている。
【００２７】
他方、サポートヒンジＨ２は、図１に示すように、一方のドア取付手段２０を、ドアパネルＤの下端面１７における支持パネルＰ寄りに取り付ける。その場合、取付プレート１８を、カムケース１９を下向きにして上部カム２５の嵌合丸穴２７を、予め固定軸３４の軸径に合わせてドアパネルＤの下端面１７に穿設した軸位置決め穴３８に対し一致させて、ドアパネルＤの下端面１７に止めネジ３７で固着する。
【００２８】
そこで、ドアパネルＤを持ち上げて、図５に示すように、ガイドヒンジＨ１のガイド軸１５を、筒穴部１４ａに通してヒンジ取付穴２８に回転自在に嵌入する一方、図１に示すように、サポートヒンジＨ２のドア取付手段２０を、その真下の床面Ｆ上に設置するアジャスト手段３０と連結する。
【００２９】
この場合、アジャスト手段３０は、水勾配ライナー４０の下向き傾斜方向を示す突片４０ｂの向きを床面Ｆの水勾配の向きに合わせ、支持プレート３１を床面Ｆ上に載置して設置する。そして、固定軸３４の先端軸部３４ｃを、ドア取付手段２０で固持した上部カム２５の嵌合丸穴２７を貫通してドアパネルＤの軸位置決め穴３８に嵌合し、上部カム２５の傾斜カム面ｊ・ｋ・ｍ・ｎを、下部カム３５の傾斜カム面ｖ・ｗ・ｘ・ｙに突き合せて、図３に示すように、ドア取付手段２０をアジャスト手段３０上に載せて直列に連結する。このとき、アジャスト手段の止めナット３９に不図示の六角レンチを嵌め込んで、アジャストケース３３をアジャスタボルト３２に対し回動して螺合高さ位置を調節する。そして、ドアパネルＤが支持パネルＰと整合する所定高さ位置で、且つ傾きのない水平度を保持するように調整する。
【００３０】
なお、サポートヒンジＨ２は、必要に応じて、アジャスタボルト３２に対しアジャストケース３３の螺合高さ位置を適宜に調節することにより、図７に示す最大の螺合高さ位置まで、ドアパネルＤの取付高さ位置を調整して水平度を保持させることができる。
【００３１】
こうしてグレビティヒンジＨは、支持パネルＰに対し、ドアパネルＤをガイドヒンジＨ１によりガイド軸１５を支点として回動可能に組み付けると共に、ドアパネルＤ全体を、サポートヒンジＨ２により固定軸３４を支点として回動可能に水平位置にて支持する。
【００３２】
そこで、このグレビティヒンジＨを用いて組み付けたドアパネルＤは、それを押して、たとえば開方向に回動させると、サポートヒンジＨ２における上部カム３５が、回転規制状態の下部カム３５に対し互いの傾斜カム面を摺接しながら、図８に示すようにドアパネルＤと共に上昇し、所定の開き角度位置まで開かれる。一方、このドアパネルＤに対する開放押圧力を解くと、ドアパネルＤの自重により、上部カム２５が下部カム３５との傾斜カム面に沿って摺接しながら下降し、図１に示すように互いの傾斜カム面が重なり合うことにより、ドアパネルＤが自動的に回動して閉じられる。
【００３３】
【発明の効果】上述の如く構成した本発明によれば、次のような効果が得られる。
【００３４】
請求項１に記載の発明のドア開閉用グレビティヒンジによれば、ドアパネルを自重を利用して自開又は自閉するカム機構を内蔵したサポートヒンジを、ドアパネルの下端面に固着するドア取付手段と、ドアパネルの高さ位置を調整して水平度を保持させる水準調整機構を備えたアジャスト手段を連結してドアパネル下端と床面との間に設置可能な構成であることから、支持パネルやドアパネルが例え木口面の幅狭な薄板製であることに関係なく、手間なく簡単に取り付けることができ、しかも、そのヒンジ取付状態において、従来の旗蝶番型グレビティヒンジを面付けする場合のように止めネジや取付板などが外部に露出する弊害がなく、見栄えも良好であり、特に美観性を要求されるラバトリーブースなどでも好んで使用することができる。
【００３５】
さらに、サポートヒンジがドアパネル下端と床面との間でドアパネルの取付高さ位置を調整して水平度を保持させる機能をもったアジャスト手段を備えた構成であることから、ドアパネルを所望高さの水平位置に任意に調整して支持することができると共に、しかも、支持パネルに関係なく、ドアパネルを単独でも所望高さの水平位置に調整して組み付けることができる。したがって、ドアパネルの組み付け後に、衝撃などを受けてドアパネルが傾くことがあっても、アジャスト手段により調整してドアパネルを水平位置に簡単に修復することができる。
【００３６】
請求項２に記載の発明のドア開閉用グレビティヒンジによれば、アジャスト手段の支持プレートに、床面に有する水勾配に応じて底面を所望傾斜角度の傾斜面で形成した水勾配ライナーを、着脱自在に取り付ける構成にすることにより、ラバトリーブースなどで排水方向へ傾斜する水勾配が床面に設けられている場合であっても、床面の傾斜に対応してドアパネルを常に水平に組み付けることができる。
【図面の簡単な説明】
【図１】本発明によるドア開閉用グレビティヒンジに備えるサポートヒンジの内部構造を示す縦断面図である。
【図２】サポートヒンジの分解斜視図である。
【図３】サポートヒンジを取付状態において示す斜視図である。
【図４】水勾配ライナーを示す縦断面図である。
【図５】ガイドヒンジを取付状態において示す縦断面図である。
【図６】本発明のドア開閉用グレビティヒンジを用いてドアパネルを支持パネルに組み付けたパネル構造体を示す正面図である。
【図７】サポートヒンジを、アジャスタボルトに対しアジャストケースが最大螺合高さ位置にある状態において示す縦断面図である。
【図８】サポートヒンジを、ドア開時に下部カムに対し上部カムが上昇した状態において示す縦断面図である。
【図９】従来の木口面取付型グレビティヒンジを用いてドアパネルを支持パネルに組み付けたパネル構造体を示す正面図である。
【図１０】従来の旗蝶番型グレビティヒンジを取付状態において示す正面図である。
【符号の説明】
Ｄ              ドアパネル
Ｆ              床面
Ｈ              ドア開閉用グレビティヒンジ
Ｈ１            ガイドヒンジ
Ｈ２            サポートヒンジ
Ｐ              支持パネル
ｊ・ｋ・ｍ・ｎ  上部カムの傾斜カム面
ｖ・ｗ・ｘ・ｙ    下部カムの傾斜カム面
ｔ              水勾配
１９            カムケース
２０            ドア取付手段
２５            上部カム
３０            アジャスト手段
３１            支持プレート
３２            アジャストボルト
３２ｂ          雄ねじ部
３３            アジャストケース
３３ｂ          雌ねじ部
３４            固定軸
３４ａ          基端軸部
３４ｃ          先端軸部
３５            下部カム
４０            水勾配ライナー
４０ａ          水勾配ライナーの底面
【図１】
2004239010.tif 000003
【図２】
2004239010.tif 000004
【図３】
2004239010.tif 000005
【図４】
2004239010.tif 000006
【図５】
2004239010.tif 000007
【図６】
2004239010.tif 000008
【図７】
2004239010.tif 000009
【図８】
2004239010.tif 000010
【図９】
2004239010.tif 000011
【図１０】
2004239010.tif 000012